(57)【要約】【課題】女性の生理時における生理排出量は一定したものでなく、前期、中期、後期、の期間にて変化するものであるが、前期、後期の少量の場合に適合した小容量形のパッドが無く、全期間を通じて大形パッドを使用している、これは甚だ不経済であり、資源の浪費であり環境も大きく悪化させるものである。【解決手段】解決を要するのは、前期、後期の少量対応のパッドであるため、受容量を減少させた、薄形パッドを作成する事により課題を解決させ、不測の多量排出に備え、この薄形パッドの下部に、更に薄形パッドを着脱容易な式にて装着し、不測の多量受量を可能にする。【選択図】図１
2008093391.tif 000002
【特許請求の範囲】
【請求項１】
人体より排出されるものを受納するパッドとして、使い捨て用パッドの下面に同種類の使い捨てパッドを重ねて成ることを特徴とする重ねパッド。
【請求項２】
請求項１記載の重ねパッドにおいて、使い捨て用パッドとして、高分子吸水紙、又は水破壊材料のパッドを使用したることを特徴とする重ねパッド。
【請求項３】
人体より排出されるものを受納するパッドとして、使い捨て用パッドの下面に洗濯用パッドを重ねて成ることを特徴とする重ねパッド。
【請求項４】
請求項３記載の重ねパッドにおいて、使い捨て用バッドとして、高分子吸水紙、又は水破壊材料のパッドを使用し、洗濯用パッドとして繊維織布パッドを使用したることを特徴とする重ねパッド。
【請求項５】
人体より排出されるものを受納する洗濯用パッド吸収体として、繊維織布を所定形状に折り畳み、該洗濯用パッド吸収体を複数積み重ねて成ることを特徴とする積み重ねパッド。
【発明の詳細な説明】
【技術分野】
【０００１】  本発明は、男性及び女性が失禁用、排便用、生理用等に使用するパッドであって、製造素材として、高分子吸水紙、水破壊材料、繊維織布、等を使用してなるパッドに関するものである。
【背景技術】
【０００２】  古い時代より人間が排出する物を受け入れるものとして、おむつ、生理用品等が自家にて手作りされ、そのものが、近年まで継続し使用されて来たが、近年に高分子吸水紙なるものが開発されるに至り、旧来の手作りは姿を消し、現今は高分子吸水紙にて作られたおむつ、失禁用品、生理用品、等が使い捨て用パッドとして主流をなしている。
最近に至り水にて分解する素材にて作られたものが、流し廃棄のできるパッドとして、市場に登場している、又繊維織布にて作られたパッドであって、洗濯することにより反復使用のできるパッドが最近の市場に出ている。
現今の市場には、上記のように各種のパッドが存在しているが、パッドを積み重ねた方式のものは見当たらない、先願にも見当たらない。【０００３】
【特許文献】  該当する特許文献は見当たらない。
【発明の開示】
【発明が解決しようとする課題】
【０００４】  人体から色々なものが排出されるが、例えば成熟した女性は一定の周期にて生理なるものが、一定日数の間、排出されるが、この排出は初期は少なく、中期に多量になり後期は少なくなり、やがて停止する、このように変化して排出するが、現今の市場にて販売されて居る使い捨ての生理用パッドは中期用のものばかりであって、初期用、後期用のものは生産されていない、大は小を兼ねるため簡単、便利であるが、多量用均一のパッド生産は、資材の浪費、乱費であり、このものが廃棄されることによる、環境悪化は大きなものである、初期用、後期用の少量用パッドを生産すれば、資材の浪費は防止でき、製造原価も低下できる、又廃棄量が減少するため環境悪化も改善することができる。
又水にて分解する材料、即ち水破壊材料にて初期用、後期用のパッド開発ができれば、環境悪化、資材浪費の改善ができる、繊維織布にて初期用、後期用の洗濯用パッドを開発すれば環境問題、資材問題は完全に解決でき、反復使用できるため経済的なパッドになる
【課題を解決するための手段】
【０００５】  本発明は上記問題点を解決するためになされたものであって、その解決に際し現今の主流である、高分子吸水紙パッドの多量吸収の長所を認め、本発明は高分子吸水紙の短所である少量吸収を目的とするパッドを開発する。
高分子吸水紙は優れた特性を有するため現今社会にて主流パッドとして採用されているが、素材を浪費しており、その素材が化学素材なるため環境を著しく悪化させている、そのため高分子吸水紙の使用率を低減せしめるのが、環境解決の緊急課題になっている。
少量用パッドを開発すれば、高分子吸水紙の使用率を半減させることが可能になるため素材の浪費、環境問題が大きく改善でき、価格の引き下げもできる。
本発明は解決手段として、高分子吸水紙、水破壊材料、繊維織布等にて少量用パッドを作成し、このパッドを積み重ねて多量用パッドを形成して使用にて汚損した物のみ取換え合理的に使用する。
この積み重ねは、同種類パッドを積み重ねる方式と異種類パッドを積み重ねる方式があり、用途により好適き方法を選択する。
積み重ねの段数は使用に際し最適の段数にされるが、二段乃至五段が常識的な段数になる、最下段の裏面には防水性部材を接着し汚損の透過を防止する。
【発明の効果】
【０００６】  本発明は次の効果を奏する、従来の全てのパッドは単体なるため、少しの汚損にても、全体を廃棄し甚だ不経済であったが、本発明のパッドは複数に分割されているため、汚損した部分のみ取り除く事ができ極めて合理的である。
本発明を実施することにより廃棄していた素材量が大幅に減少できるため、環境悪化が大きく改善できる。
素材の浪費も改善できるため製造価格を低下させることもできる、従来の使い捨てパッドは製造メーカーが自社本位に作成したものであったが、本発明は環境改善、資源節約、一般消費者の経済、等の改善を目的としており、発明理念において大きく相違したものであり、社会生活を考慮した有益な発明である。
【発明を実施するための最良の形態】
【０００７】  上部パッドとして水破壊材料にて作成されたパッドを複数積み重ね、下部パッドとして、繊維織布を折り畳みてなる洗濯用パッドを複数積み重ね、その最下面に防水性の素材を敷く、このものが本発明であり、これを従来のパッド保持装置に装着し使用する。
【実施例】
【０００８】  以下本発明を図面に基づき詳細に説明する、本発明のパッドは従来のパッドと概念が相違しており、人体より排出されるものが少量の場合のみ使用するパッドである。
従来のパッドは多量排出を吸収するには優れた性能を有しているが、少量の排出を吸収するには、過剰な贅沢なパッドである、この万能パッドは合理性を犠牲にして製造されたものである
本発明のパッドは、従来パッドのように万能でなく、少量排出の場合のみを対象としたパッドであり、従来パッドが不適としている場合に使用するパッドである。
［図１］は本発明の積み重ねパッドの方式の中で同種類の使い捨てパッドを積み重ねた場合を示す斜視図であって、１は高分子吸水紙、又は水にて分解する、水破壊材料と称呼されている素材にて作成された使い捨てのパッドＡである。
高分子吸水紙は廃棄されると焼却されるが、化学素材なるため公害を発生させる、これが高分子吸水紙の大きな欠点になっている。
水破壊材料製のパッドは廃棄に際し、家庭にて流し処分が可能なため環境悪化は極めて低く良好なパッドである。
使い捨てパッドＡ１は少量吸収用パッドとして作られている、そのため不測の多量排出に遭遇すると処理不能になる、そこで全く同じ素材にて同じに作成された、使い捨てパッドＢ２を、下部に設け不測の多量排出に備える、この重ね段数は多くするのが、合理的であるが、必要以上に多くすると反って悪く、数段以下が使い易く合理的である。
本発明はパッドを積み重ねているため、従来パッドと同様に多量の排出も吸収が可能であるが、少量吸収を目的として使用する、使用目的を限定することにより効果を発揮するよう作られたパッドである。【０００９】  ［図２］は本発明の積み重ねパッドの中で異種類のパッドを積み重ねた場合の斜視図であって３は高分子吸水紙、又は水破壊材料にて作成された使い捨てパッドＣである。
この使い捨てパッドＣ３は、［図１］の使い捨てパッドＡ１と同じものであって、そのため多量の吸収ができない、不測の多量排出を吸収するため下部に繊維織布にて作られた洗濯用パッドＡ４を装着する。
洗濯用パッドＡ４は、繊維織布をパッドとして適合する形状に折り畳むたるものであって、汚損すれば、洗濯することにより何度も反復使用ができる、洗濯用パッドＡ４は大きな繊維織布を折り畳みたるものなるため、広げると洗濯、乾燥が迅速、容易である、加工縫製の手数を要さ無いことも大きな特徴である。【００１０】  ［図３］は本発明の積み重ねパッドの方式の中で洗濯用パッドを重ねた場合を示す斜視図であって、５は洗濯用パッドＢである、６は洗濯用パッドＣであって、この両パッドは［図２］の洗濯用パッドＡ４と同じものである。
積み重ねの段数は二段乃至数段以下である、使用する繊維織布の厚さにより、段数が相違する、最下段のパッドの裏面に防水性素材を敷き、透過を防止する。
積み重ねる事により、汚損したパッドのみ取換え使用する、洗濯用は反復使用するため洗濯の手数を要するが経済的であり、環境保護、資源保護上有益な発明である。
本発明はこのような実施例に何等限定されるものでなく、本発明の要旨を逸脱しない範囲において種々なる態様にて実施し得ることは勿論である。
【産業上利用の可能性】
【００１１】  現今市場には環境保全、資源保護、経済性、等を考慮した合理的なパッドがなく、本発明パッドはその要求を解決するものであるため、今後の社会において広く普及が期待されるパッドである。
【図面の簡単な説明】
【００１２】
【図１】は本発明の積み重ねパッドの中の同種類パッドを重ねた場合の斜視図である。
【図２】は本発明の積み重ねパッドの中の異種類パッドを重ねた場合の斜視図である。
【図３】は本発明の積み重ねパッドの中の洗濯用パッドを重ねた場合の斜視図である。
【符号の説明】
【００１３】  １  使い捨てパッドＡ
２  使い捨てパッドＢ
３  使い捨てパッドＣ
４  洗濯用パッドＡ
５  洗濯用パッドＢ
６  洗濯用パッドＣ
【図１】
2008093391.tif 000003
【図２】
2008093391.tif 000004
【図３】
2008093391.tif 000005